(57)【要約】【課題】蛍光ランプで発生する熱を効率よく放熱することにより、蛍光ランプの発光効率を向上させた照明器具を提供する。【解決手段】照明器具Ａは、下面が開口する細長い箱形状の器具本体１と、器具本体１の長手方向両端側にそれぞれ設けられた一対のソケット３、３と、両ソケット３、３に接続される直管状の蛍光ランプ４と、器具本体１において施工状態で蛍光ランプ４の上方位置に配設される反射板２とを備えている。反射板２において蛍光ランプ４の最冷部近傍には、放熱孔２ａが設けられており、さらに平面視コ字状の突出片５が放熱孔２ａの口金４ｃ側を除く３方向を覆って取着されている。この突出片５は蛍光ランプ４側に突出しており、先端側が蛍光ランプ４に接触している。【選択図】図１
2008098115.tif 000002
【特許請求の範囲】
【請求項１】
天井面に取着され内部に蛍光ランプが配設された器具本体と、前記器具本体において施工状態で前記蛍光ランプの上方位置に配設された反射板とを備え、前記反射板において前記蛍光ランプの最冷部近傍に放熱孔を設けるとともに、前記器具本体又は前記反射板のうち何れか一方と熱的に結合された放熱部を前記蛍光ランプと前記最冷部で接触させたことを特徴とする照明器具。
【発明の詳細な説明】
【技術分野】
【０００１】
本発明は、照明器具に関するものである。
【背景技術】
【０００２】
従来より、蛍光ランプを電極部近傍で支持するとともに、蛍光ランプで発生した熱を器具本体に放熱させるランプホルダを用いた照明器具があった（例えば特許文献１参照）。この照明器具は、円盤状に形成され下面側に反射板部を有する器具本体と、円環状に形成された蛍光ランプとを備えている。器具本体の反射板部には、ねじを介して複数のランプホルダが円周に沿って等間隔に固定されており、そのうちの１つは電極部近傍で蛍光ランプを保持している。
【０００３】
この照明器具では、蛍光ランプを点灯させた際に電極部で熱が発生し、この発生した熱によって蛍光ランプの発光効率の低下が起こるが、この部位をランプホルダで保持することによって、電極部で発生した熱をランプホルダを介して器具本体に効率よく放熱することができ、蛍光ランプの発光効率の低下を抑えることができる。
【特許文献１】特開２０００−２３１８２３号公報（第２頁−第３頁、及び、第１図−第４図）
【発明の開示】
【発明が解決しようとする課題】
【０００４】
上述の特許文献１に示した照明器具では、電極部で発生した熱を１個のランプホルダのみで放熱させているので、放熱が不十分な場合があった。
【０００５】
本発明は上記問題点に鑑みて為されたものであり、その目的とするところは、蛍光ランプで発生する熱を効率よく放熱することにより、蛍光ランプの発光効率を向上させた照明器具を提供することにある。
【課題を解決するための手段】
【０００６】
請求項１の発明は、天井面に取着され内部に蛍光ランプが配設された器具本体と、器具本体において施工状態で蛍光ランプの上方位置に配設された反射板とを備え、反射板において蛍光ランプの最冷部近傍に放熱孔を設けるとともに、器具本体又は反射板のうち何れか一方と熱的に結合された放熱部を蛍光ランプと最冷部で接触させたことを特徴とする。ここに最冷部近傍とは、反射板において蛍光ランプの最冷部に対向する部位のことをいう。
【発明の効果】
【０００７】
請求項１の発明によれば、反射板において蛍光ランプの最冷部近傍に放熱孔を設けるとともに、器具本体又は反射板のうち何れか一方と熱的に結合された放熱部を蛍光ランプと最冷部で接触させることによって、蛍光ランプで発生した熱を放熱孔及び放熱部を介して効率よく放熱することができるので、蛍光ランプの発光効率を向上させることができるという効果がある。
【発明を実施するための最良の形態】
【０００８】
（第１の実施形態）
第１の実施形態を図１に基づいて説明する。本実施形態の照明器具Ａは、図１（ｂ）に示すように、例えば天井面９に設けた埋込孔９ａに埋込配設される。
【０００９】
照明器具Ａは、下面が開口する細長い箱形状の器具本体１と、器具本体１の長手方向両端側にそれぞれ設けられた一対のソケット３、３と、両ソケット３、３に接続される直管状の蛍光ランプ４と、器具本体１において施工状態で蛍光ランプ４の上方位置に配設される反射板２とを備えている。
【００１０】
器具本体１は、図１（ａ）に示すように下面が開口した細長い箱形状に形成されており、下面側には外側に突出する鍔部１ａが全周に渡って形成されている。また長手方向両端側には、蛍光ランプ４が接続される一対のソケット３、３がそれぞれ設けられている。この器具本体１は、図１（ｂ）に示すように天井面９に設けた埋込孔９ａに埋込配設されている。
【００１１】
蛍光ランプ４は、直管状の発光管４ａを有しており、発光管４ａの両端側にはフィラメント電極４ｂ、４ｂを保持させた口金４ｃ、４ｃがそれぞれ取着されている。また発光管４ａの内壁には、蛍光体被膜（図示せず）が形成されており、発光管４ａの内部には水銀及びアルゴン等の希ガスが封入されている。この蛍光ランプ４は、両口金４ｃ、４ｃを介してソケット３、３に接続され、さらにソケット３、３を介して図示しない点灯回路に電気的に接続されている。
【００１２】
反射板２は、図１に示すように器具本体１の長手方向に沿って細長い平面部を有しており、この平面部は幅方向両端側が所定の角度で斜め下方にそれぞれ折り曲げられている。さらに反射板２の幅方向両端側は、図１（ｂ）に示すように上方に折り曲げられている。この反射板２の平面部において長手方向両端側には、蛍光ランプ４の最冷部（口金４ｂに近い発光管４ａの部位）近傍に図１（ａ）に示すように長孔状の放熱孔２ａ、２ａがそれぞれ設けられている。さらに平面視コ字状の突出片５が、図１（ａ）に示すように放熱孔２ａの右側（蛍光ランプ４の口金４ｃ側）を除く３方向を覆って溶接などの方法で取着されている。この突出片５は蛍光ランプ４側（図１（ａ）において下側）に突出しており、先端側が蛍光ランプ４に接触している（図１（ｂ）参照）。ここに本実施形態では、突出片５で放熱部を構成しており、この突出片５は反射板２と熱的に結合している。
【００１３】
本実施形態の照明器具Ａでは、反射板２において蛍光ランプ４の最冷部近傍に放熱孔２ａを設けることによって、蛍光ランプ４で発生した熱を放熱孔２ａを通して上方に逃がすことができる。また反射板２と熱的に結合された突出片５を蛍光ランプ４と最冷部で接触させることによって、蛍光ランプ４で発生した熱を突出片５を介して反射板２に放熱することができる。従って、放熱孔２ａ及び突出片５を設けることで蛍光ランプ４で発生した熱を効率よく放熱することができ、蛍光ランプ４の発光効率を向上させることができる。また反射板２と空気との間には温度差が生じ、空気の対流が発生するので、蛍光ランプ４で発生した熱を効率よく空気中に放熱することができる。
【００１４】
さらに放熱孔２ａの周縁に突出片５を設けることによって、照明器具Ａを埋込孔９ａに埋込配設した際に、下から放熱孔２ａが見えることがなく、照明器具Ａの意匠性を向上させることもできる。
【００１５】
尚、本実施形態では、図１（ａ）に示すように長孔状の放熱孔２ａを１個形成しているが、放熱孔２ａの形状は本実施形態に限定されるものではなく、複数の小さい孔をパンチングにより設けて放熱孔２ａを形成してもよい。
【００１６】
また本実施形態では、天井埋込型の照明器具Ａを例に説明したが、照明器具Ａは本実施形態に限定されるものではなく、天井取付型や天井吊下げ型等であってもよい。さらに蛍光ランプ４についても本実施形態に限定されるものではなく、片口金蛍光ランプや円環状の蛍光ランプ等であってもよい。
【００１７】
（第２の実施形態）
第２の実施形態を図２及び図３に基づいて説明する。本実施形態の照明器具Ａは、突出片５の代わりにランプホルダ６又はランプホルダ７で放熱部を構成した点以外の構成は第１の実施形態と同様であるので、同一の構成要素には同一の符号を付して説明は省略する。
【００１８】
照明器具Ａは、図２に示すように先端側（図２（ｂ）において下側）に略コ字状の保持片６ａ、６ａがそれぞれ形成された板状の一対のランプホルダ６、６を有しており、後端側（図２（ｂ）の上側）で反射板２の放熱孔２ａの周縁に取着され、下方に垂下している。そして蛍光ランプ４が口金４ｃ、４ｃを介して両ソケット３、３に取付保持されるとともに、発光管４ａの最冷部において両保持片６ａ、６ａの間で弾性的に挟持されている（図２（ａ）参照）。ここに本照明器具Ａでは、両ランプホルダ６、６で放熱部を構成しており、各ランプホルダ６は反射板２と熱的に結合している。
【００１９】
この照明器具Ａでは、反射板２において蛍光ランプ４の最冷部近傍に放熱孔２ａを設けることによって、蛍光ランプ４で発生した熱を放熱孔２ａを通して上方に逃がすことができる。また最冷部において蛍光ランプ４を弾性的に挟持する一対のランプホルダ６、６を反射板２に設けることによって、蛍光ランプ４で発生した熱をランプホルダ６を介して反射板２に放熱することができる。従って放熱孔２ａ及びランプホルダ６を設けることで蛍光ランプ４で発生した熱を効率よく放熱することができ、蛍光ランプ４の発光効率を向上させることができる。また反射板２と空気との間には温度差が生じ、空気の対流が発生するので、蛍光ランプ４で発生した熱を効率よく空気中に放熱することができる。
【００２０】
さらに、両ランプホルダ６、６で蛍光ランプ４を弾性的に挟持することによって、両ソケット３、３で蛍光ランプ４を取付保持する構造と合わせて、蛍光ランプ４の落下に対し二重の安全構造をとることができる。
【００２１】
また図３に示すように、一対のランプホルダ７、７を器具本体１に設けてもよく、この場合、各ランプホルダ７は器具本体１と熱的に結合されており、両ランプホルダ７、７で放熱部を構成する。
【００２２】
この照明器具Ａでは、蛍光ランプ４で発生した熱を放熱孔２ａを通して上方に逃がすとともに、ランプホルダ７を介して器具本体１に放熱することができるので、効率よく放熱することができ、蛍光ランプ４の発光効率を向上させることができる。また器具本体１と空気との間には温度差が生じ、空気の対流が発生するので、蛍光ランプ４で発生した熱を効率よく空気中に放熱することができる。
【００２３】
さらに、両ランプホルダ７、７で蛍光ランプ４を弾性的に挟持することによって、両ソケット３、３で蛍光ランプ４を取付保持する構造と合わせて、蛍光ランプ４の落下に対し二重の安全構造をとることができる。
【００２４】
（第３の実施形態）
第３の実施形態を図４に基づいて説明する。本実施形態の照明器具Ａは、突出片５の代わりにランプホルダ８ａを有するソケットカバー８で放熱部を構成した点以外の構成は第１の実施形態と同様であるので、同一の構成要素には同一の符号を付して説明は省略する。
【００２５】
ソケットカバー８は、図４（ｃ）に示すように矩形板状の底部８ａと底部８ａの一端から鉛直上向きに突設された矩形板状の側部８ｂとで略Ｌ字状に形成されており、側部８ｂにはソケットカバー８を器具本体１に取付けた際に蛍光ランプ４が配置される切欠部８ｄが設けられている。また、底部８ａには先端側（図４（ｃ）において上側）に略コ字状の保持片８ｅ、８ｅがそれぞれ形成された板状の一対のランプホルダ８ｃ、８ｃが取着されている。そしてソケットカバー８は、両ソケット３、３を介して器具本体１に取着された蛍光ランプ４を最冷部において保持片８ｅ、８ｅの間で弾性的に挟持することによって、器具本体１に取着される。尚、図４（ａ）に示すようにソケットカバー８を取付けた状態で、ランプホルダ８ｃ、８ｃの上方に位置する反射板２の部位には、放熱孔２ａ（図示せず）が設けられている。ここに本実施形態では、両ランプホルダ８ｃ、８ｃ及びソケットカバー８で放熱部を構成しており、ソケットカバー８を取付けた状態で反射板２又は器具本体１と熱的に結合している。
【００２６】
本実施形態の照明器具Ａでは、反射板２において蛍光ランプ４の最冷部近傍に放熱孔２ａを設けることによって、蛍光ランプ４で発生した熱を放熱孔２ａを通して上方に逃がすことができる。また最冷部において一対のランプホルダ８ｃ、８ｃで発光管４ａを弾性的に挟持させた状態でソケットカバー８を器具本体１に取着することによって、蛍光ランプ４で発生した熱を両ランプホルダ８ｃ、８ｃ及びソケットカバー８を介して反射板２又は器具本体１に放熱することができる。従って放熱孔２ａ及びソケットカバー８を設けることで蛍光ランプ４で発生した熱を効率よく放熱することができ、蛍光ランプ４の発光効率を向上させることができる。また反射板２又は器具本体１と空気との間には温度差が生じ、空気の対流が発生するので、蛍光ランプ４で発生した熱を効率よく空気中に放熱することができる。
【００２７】
さらに、ソケットカバー８を器具本体１に取付けることによって、放熱孔２ａ及びソケット３と口金４ｃとの結合部が見えることがなく、照明器具Ａの意匠性を向上させることもできる。
【図面の簡単な説明】
【００２８】
【図１】（ａ）は第１の実施形態の照明器具の一部破断せる斜視図である。（ｂ）は同上を幅方向から見た断面図である。
【図２】（ａ）は第２の実施形態の照明器具の一部破断せる斜視図である。（ｂ）は同上の照明器具を幅方向から見た断面図である。
【図３】同上の他の照明器具を幅方向から見た断面図である。
【図４】（ａ）は第３の実施形態の照明器具の一部破断せる斜視図である。（ｂ）は同上を幅方向から見た断面図である。（ｃ）は同上のソケットカバーを示す一部破断せる斜視図である。
【符号の説明】
【００２９】
１    器具本体
２    反射板
２ａ  放熱孔
３    ソケット
４    蛍光ランプ
５    突出片（放熱部）
９    天井面
Ａ    照明器具
【図１】
2008098115.tif 000003
【図２】
2008098115.tif 000004
【図３】
2008098115.tif 000005
【図４】
2008098115.tif 000006